(57)【要約】【課題】目視では印刷画像の潜在に気づかずに、その上層の絵柄の制限を受けにくく、さらに最適なと思い込みの赤外線を適用しても、画像を読み取れず、真の画像を認識出来ず、偽造、改ざん等の予防に有効な機械読み取り可能な情報印刷物の提供にある。【解決手段】赤外線反射性基材３５上に、第１の赤外線吸収性印刷インキ３１で構成された第１の印刷画像と、前記第１の赤外線吸収性印刷インキ３１と同色の印刷インキ３２で第１の印刷画像と毛抜き合わせ形状の背景画像が設けられ、第１の赤外線吸収性印刷インキとは異なる赤外線吸収性を有する第２の赤外線吸収性印刷インキ３３で構成された第２の印刷画像と第２の赤外線吸収性印刷インキ３３と同色の印刷インキ３４で第２の印刷画像と毛抜き合わせ形状の背景画像が設けられ、その上に隠蔽層３６と絵柄印刷層３７が順に設けられている機械読み取り可能な情報印刷物４である。【選択図】図１０
2007030448.tif 000002
【特許請求の範囲】
【請求項１】
赤外線反射性基材の上に、赤外線吸収性印刷インキで構成されかつ記録すべき情報に基づいた印刷画像が設けられ、前記赤外線吸収性印刷インキと目視において同じ色の赤外線領域に吸収が無い印刷インキで前記印刷画像と毛抜き合わせ形状の背景画像が設けられ、さらにそれらの上に隠蔽層と絵柄印刷層が順に設けられてなることを特徴とする機械読み取り可能な情報印刷物。
【請求項２】
赤外線反射性基材の上に、第１の赤外線吸収性印刷インキで構成されかつ記録すべき情報に基づいた第１の印刷画像と、前記第１の赤外線吸収性印刷インキと目視において同じ色の赤外線領域に吸収が無い印刷インキで前記第１の印刷画像と毛抜き合わせ形状の背景画像が設けられ、さらに前記第１の赤外線吸収性印刷インキの赤外線波長域における赤外線吸収性とは異なる赤外線吸収性を有する第２の赤外線吸収性印刷インキで構成されかつ記録すべき情報に基づいた第２の印刷画像と前記第２の赤外線吸収性印刷インキと目視において同じ色の赤外線領域に吸収が無い印刷インキで前記第２の印刷画像と毛抜き合わせ形状の背景画像が設けられ、さらにその上に隠蔽層と絵柄印刷層が順に設けられてなることを特徴とする機械読み取り可能な情報印刷物。
【請求項３】
前記第１の印刷画像における情報と第２の印刷画像における情報とは、少なくとも一部分が相違することを特徴とする請求項２に記載の機械読み取り可能な情報印刷物。
【請求項４】
前記第１の印刷画像および第２の印刷画像の両方を同時に読み取り可能な赤外線波長域を有し、該赤外線波長域の赤外線により、前記第１の印刷画像と第２の印刷画像とが一纏まりの画像に読み取られることを特徴とする請求項２乃至３のいずれかに記載の機械読み取り可能な情報印刷物。
【請求項５】
前記機械読み取り可能な赤外線波長域が、設定した波長付近でのみ機械読み取りが可能であることを特徴とする請求項２乃至４のいずれかに記載の機械読み取り可能な情報印刷物。
【発明の詳細な説明】
【技術分野】
【０００１】
本発明は、赤外線により機械読み取り可能な情報印刷物に関するものであり、特に、機密情報をその上層に設ける絵柄で完全に隠蔽する構成でなる機械読み取り可能な情報印刷物に関する。
【背景技術】
【０００２】
従来、株券、債券、小切手、商品券、宝くじ、定期券等の証券類に記載される情報を機械により読み取る手段として、バーコードやＯＣＲ文字等の機械読み取り可能なコードマークが設けられていることが多く、通常、近赤外線領域の光を反射する機材面に、近赤外線領域の光を吸収するインキ、カーボンブラック等を含む黒色インキを用いてコードマークを形成するものが知られている。
【０００３】
例えば、白色インキの赤外線反射性および黒色インキの赤外線吸収性を利用し、機械的に読み取り可能な情報をバーコードのパターン状のコードマークとして上記証券類に付与し、これに赤外線を照射して、コードマークを走査し、その反射赤外光の強度を測定することにより記録された情報を読み取っている。そして、情報が不正に読み取られないように可視光を遮断し、赤外線を透過する隠蔽層を形成し、可視光により容易に情報が読み取られることを防止するものがある（例えば、特許文献１参照。）。
【０００４】
しかし、上記カーボンブラック等の赤外線吸収物質は可視領域においても光吸収性を有しているため、隠蔽層を形成しても隠蔽力が不十分であると、上記情報パターンは赤外線読み取り装置で機械読み取りされると共に肉眼でもその存在が判読され易く、依然として複写等の偽造や変造等を有効に防止する手段としては不十分であった。
【０００５】
肉眼ではその存在が判読されないようにする手段としては、従来からそれ事態が可視領域における吸収が少なく、しかも可視領域以外の波長領域において吸収を有する材料が考えられてきた。例えば、赤外線吸収材料としての熱線吸収ガラスや赤外線吸収ガラスを粉砕し、これを顔料化したものをインキに含有させ、コードマークを形成したものである。このインキは可視領域での吸収が少ないため、目視困難となることから偽造・変造・改ざんなどに有効な手段として考えられてきた。
【０００６】
以下に、上記先行技術文献を示す。
【特許文献１】特開２０００−３０９７３６号公報
【発明の開示】
【発明が解決しようとする課題】
【０００７】
しかしながら、上記可視領域において吸収が少なく、かつ近赤外領域において吸収を有する材料においても、そのままコードマークを印刷した場合、目視困難ではあるがコードマークの存在を確認することが可能である。そのため、コードマークを完全に隠蔽するためには、コードマークの上に赤外線吸収が無い顔料にて迷彩模様を設けるかもしくは比較的濃度の濃い顔料にて隠蔽する必要があり、その上に形成する絵柄等の画像の制限を受けてしまうという問題があった。
【０００８】
また、上記インキを使用した赤外線領域を吸収する印刷物は、広い赤外線領域で容易に検知が可能という利点があると共に、その利点が逆に作用し、その存在が判読されやすいといった欠点がある。すなわち、赤外線カメラで容易に読み取ることが出来てしまい、コ
ードマークが見えてしまう。そのため、赤外線カメラでパターンを読み取られて偽造が行われたり、その読み取り結果に基づいて吸収のある部分をつなぎ合わせたり、貼り合わせたりすることによって、改ざんが行われてしまうことも問題である。
【０００９】
本発明は、かかる従来技術の問題点を解決するものであり、その課題とするところは、目視では印刷画像の潜在に全く気づかない上に、その上層に設ける絵柄の制限を受けにくく、さらに最適な赤外線波長域であろうと思いこみで赤外線を適用しても、画像を読み取れず、あるいは別の画像に読み取ってしまい、真の画像を認識することが出来ない機械読み取り可能な情報印刷物を提供することにある。すなわち、偽造の予防、改ざんの予防、その他の不正の予防、真の情報の漏洩の予防等に有効な機械読み取り可能な情報印刷物の提供にある。
【課題を解決するための手段】
【００１０】
本発明に於いて上記課題を達成するために、まず請求項１の発明では、赤外線反射性基材の上に、赤外線吸収性印刷インキで構成されかつ記録すべき情報に基づいた印刷画像が設けられ、前記赤外線吸収性印刷インキと目視において同じ色の赤外線領域に吸収が無い印刷インキで前記印刷画像と毛抜き合わせ形状の背景画像が設けられ、さらにそれらの上に隠蔽層と絵柄印刷層が順に設けられてなることを特徴とする機械読み取り可能な情報印刷物としたものである。
【００１１】
また、請求項２の発明では、赤外線反射性基材の上に、第１の赤外線吸収性印刷インキで構成されかつ記録すべき情報に基づいた第１の印刷画像と、前記第１の赤外線吸収性印刷インキと目視において同じ色の赤外線領域に吸収が無い印刷インキで前記第１の印刷画像と毛抜き合わせ形状の背景画像が設けられ、さらに前記第１の赤外線吸収性印刷インキの赤外線波長域における赤外線吸収性とは異なる赤外線吸収性を有する第２の赤外線吸収性印刷インキで構成されかつ記録すべき情報に基づいた第２の印刷画像と前記第２の赤外線吸収性印刷インキと目視において同じ色の赤外線領域に吸収が無い印刷インキで前記第２の印刷画像と毛抜き合わせ形状の背景画像が設けられ、さらにその上に隠蔽層と絵柄印刷層が順に設けられてなることを特徴とする機械読み取り可能な情報印刷物としたものである。
【００１２】
また、請求項３の発明では、前記第１の印刷画像における情報と第２の印刷画像における情報とは、少なくとも一部分が相違することを特徴とする請求項２に記載の機械読み取り可能な情報印刷物としたものである。
【００１３】
また、請求項４の発明では、前記第１の印刷画像および第２の印刷画像の両方を同時に読み取り可能な赤外線波長域を有し、該赤外線波長域の赤外線により、前記第１の印刷画像と第２の印刷画像とが一纏まりの画像に読み取られることを特徴とする請求項２乃至３のいずれかに記載の機械読み取り可能な情報印刷物としたものである。
【００１４】
さらにまた、請求項５の発明では、前記機械読み取り可能な赤外線波長域が、設定した波長付近でのみ機械読み取りが可能であることを特徴とする請求項２乃至４のいずれかに記載の機械読み取り可能な情報印刷物としたものである。
【００１５】
上記請求項でいう「毛抜き合わせ」とは、２枚以上の写真、図版、文字などが隙間または重なり合わせもなく隣合わせに組み立てられることをいう（印刷事典  日本印刷学会編）。
【発明の効果】
【００１６】
本発明は以上の構成であるから、下記に示す如き効果がある。
【００１７】
即ち、上記発明の機械読み取り可能な情報印刷物は、赤外線吸収性印刷インキを用いて印刷画像を印刷し、かつそれぞれの赤外線吸収性印刷インキと可視光領域にて同じ色の印刷インキを用いて前記赤外線吸収性印刷インキでの印刷画像と毛抜き合わせ形状の背景部を印刷することにより目視では印刷された情報（印刷画像）が背景画像のなかに溶け込み非常に見にくくなり、さらにその上に白色インキ等により隠蔽し、絵柄等を印刷することによって、赤外線吸収性印刷インキで印刷した情報（印刷画像）を目視で見ることが出来ないものが出来る。この構成では最表面の絵柄印刷は白色インキにて印刷画像と背景画像とを隠蔽を行うことで絵柄の制約を受けなくなるため、様々な場所への情報を付与することが可能となる。
【００１８】
また、吸収波長の異なる２種類の赤外線吸収性印刷インキを用いて印刷画像を印刷し、かつそれぞれの赤外吸収性印刷インキと可視光域にて同じ色の印刷インキを用いて前記赤外線吸収性印刷インキでの印刷画像と毛抜き合わせ形状の背景画像を印刷することにより、目視で印刷された情報（印刷画像）が背景画像に溶け込み非常に見にくくなり、その上層に白色インキ等により隠蔽し、さらに絵柄等を印刷することにより赤外線吸収性印刷インキで印刷した情報（印刷画像）を目視で見ることができないものが出来る。このような上記本発明の機械読み取り可能な情報印刷物は、設定した２種類の赤外波長のセンサーで読み取ることができるが、市販の赤外線カメラでは、異なった画像が見えるため、もしくはすべての情報を読み取ることが出来ないため、偽造や改ざんまたはその他の不正等を防止する効果がある。
【発明を実施するための最良の形態】
【００１９】
以下本発明を実施するための最良の形態を図面を用いて詳細に説明する。
【００２０】
図１は、本発明の機械読み取り可能な情報印刷物の構成を示す概略図であり、図２は、本発明の機械読み取り可能な情報印刷物の一実施例を示す平面図で、図３は、図２のＸ−Ｘ線における断面図である。また、図４は、図２の機械読み取り可能な情報印刷物上に隠蔽層および絵柄層を設けた状態の一応用例を示す平面図で、図５は、図４のＸ−Ｘ線における断面図であり、図６は、図４の機械読み取り可能な情報印刷物を赤外線カメラで見た場合の平面図である。さらに図７は、本発明の機械読み取り可能な情報印刷物の一実施例を示す平面図であり、図８は、図７のＸ−Ｘ線における断面図である。また、図９は、図７の機械読み取り可能な情報印刷物上に隠蔽層および絵柄層を設けた状態の一応用例を示す平面図で、図１０は、図９のＸ−Ｘ線における断面図であり、図１１は、図９の印刷物を赤外線領域を限定した赤外線カメラで見た場合の平面図である。図１２は、第１の赤外線吸収性印刷インキを用いた第１の印刷画像と第２の赤外線吸収性印刷インキを用いた第２の印刷画像の反射率と波長の関係を示すグラフである。
【００２１】
図１は、本発明の機械読み取り可能な情報印刷物１の一事例の展開図を示しており、図１（ａ）に示したように、赤外線吸収性印刷インキ１１で機械読み取り可能なパターン（印刷画像）を印刷し、その次に図１（ｂ）に示したように、赤外線吸収性印刷インキと可視光域で同色の（通常の）印刷インキ１２で前記機械読み取り可能なパターン（印刷画像）と毛抜き合わせ形状のパターン（背景画像）を印刷する。このとき図２、図３に示したように、図１（ａ）の機械読み取り可能なパターン（印刷画像）と図１（ｂ）のパターン（背景画像）とを毛抜き合わせ形状にその位置を一致させることにより、機械読み取り可能な情報印刷物１とすることができる。
【００２２】
また、図４は、本発明の機械読み取り可能な情報印刷物２の他の事例を示す平面図で、図４では絵柄層１７のみが見えるが、図５の機械読み取り可能な情報印刷物２のＸ−Ｘ線における断面図に示すように、赤外線反射性基材１５の上に赤外線吸収性印刷インキ１１
と赤外線吸収性印刷インキと可視光域で同色の印刷インキ１２で前記機械読み取り可能なパターン（印刷画像）と毛抜き合わせ形状のパターン（背景画像）が印刷されており、その上に隠蔽層１６が設けられており、さらにその上に絵柄層１７が設けられている。
【００２３】
また、図６は、本発明の機械読み取り可能な情報印刷物２に赤外線カメラを通して見た場合の平面図で、図５に示す絵柄層１７および隠蔽層１６を透過して、赤外線吸収性印刷インキ２１のパターンが周りの赤外線吸収性印刷インキと同色の印刷インキ２２に比べ黒く見えるため情報（印刷画像）として読むことができる。
【００２４】
図７および図８は、本発明の機械読み取り可能な情報印刷物３の事例を示す平面図およびその断面図であり、赤外線反射性基材３５の上に第１の赤外線吸収性印刷インキ３１がパターン（印刷画像）として印刷されており、さらにこのパターンと毛抜き合わせ形状の第１の赤外線吸収性印刷インキと可視光域で同色の印刷インキ３２で（背景画像として）印刷されている。さらにその上層に第２の赤外線吸収性印刷インキ３３と第２の赤外線吸収性印刷インキと可視広域で同色の印刷インキ３４で前記第２の赤外線吸収性印刷インキ３３と毛抜き合わせ形状のパターン（背景画像）として印刷されている。
【００２５】
また、図９および図１０は、本発明の機械読み取り可能な情報印刷物４における構成を示す平面図およびその断面図であり、図９において絵柄層３７のみが見えているが、図１０の断面図において前記の２種類の赤外線吸収性印刷インキおよび可視広域で同色の印刷インキが印刷されている上に、隠蔽層３６と絵柄層３７が順次印刷されている。
【００２６】
図１１（ａ）は、本発明の機械読み取り可能な情報印刷物４に第１の赤外線吸収性印刷インキ３１と第２の赤外線吸収性印刷インキ３３の両方に吸収がある赤外線波長の光を照射させて見た赤外線カメラの画像で、絵柄層３７および隠蔽層３６を透過して第１の赤外線吸収性印刷インキ３１および第２の赤外線吸収性印刷インキ３３のパターン（印刷画像）が周り（背景画像）に比べて黒く見えるため、情報として読みとることが出来る。さらに図１１（ｂ）に示すように、第１の赤外線吸収性印刷インキ３１にのみ吸収がある赤外線波長の光を照射させた見た赤外線カメラの画像において、絵柄層３７、隠蔽層３６、第２の赤外線吸収性印刷インキ３３、その第２の赤外線吸収インキと可視広域で同色の印刷インキ３４を透過して第１の赤外線吸収性印刷インキ３１のパターン（印刷画像）が周り（背景画像）に比べて黒く見えるため、前述とは違ったパターンの情報として読み取ることが出来る。
【００２７】
以下に、本発明の具体的実施例について説明する。
【実施例１】
【００２８】
赤外線反射性基材として白色系のコート紙上にオフセット印刷法により以下の赤外線吸収性印刷インキ（紫外線硬化型オフセットインキ）を用い、コードマークを印刷画像として膜厚２μｍに印刷した。さらに、以下の赤外線吸収性印刷インキと可視広域で同色の印刷インキ（紫外線硬化型オフセットインキ）を用い、前記コードマークと毛抜き合わせ形状の背景画像を膜厚２μｍに印刷した。続いて隠蔽層として白インキ（紫外線硬化型オフセットインキ）を膜厚３μｍに印刷し、その上に下記プロセスインキ（紫外線硬化型オフセットインキ）を用いて絵柄を印刷して、機械読み取り可能な情報印刷物を作製した。
［赤外線吸収インキ］
赤外線吸収剤  ＣＩＲ−１０８１（日本カーリット社製）        １０部
ＦＤＳメジウムＴＰ            （東洋インキ製造社製）        ９０部
［赤外線吸収性印刷インキと可視光域で同色の印刷インキ］
ＦＤ  ＯＬ  黄  ＴＣ      （東洋インキ製造社製）        ３．００部
ＦＤ  ＯＬ  紅  ＴＣ      （東洋インキ製造社製）        １．７５部
ＦＤ  ＯＬ  藍  ＴＣ      （東洋インキ製造社製）        ０．２５部
ＦＤ  ＯＬ  メジウム      （東洋インキ製造社製）            ９５部
［プロセスインキ］
ＦＤ  ＯＬ  黄  ＴＣ      （東洋インキ製造社製）
ＦＤ  ＯＬ  紅  ＴＣ      （東洋インキ製造社製）
ＦＤ  ＯＬ  藍  ＴＣ      （東洋インキ製造社製）
上記機械読み取り可能な情報印刷物は、目視では絵柄のみが確認されるが、７８０ｎｍ以上の光を照射する赤外線カメラおよびセンサーでは２次元バーコードを読み取ることができた。
【実施例２】
【００２９】
赤外線反射性基材として白色系のコート紙上にオフセット印刷法により以下の第１の赤外線吸収性印刷インキ（紫外線硬化型オフセットインキ）を用い、コードマークを印刷画像として膜厚２μｍに印刷した。さらに、以下の第１の赤外線吸収性印刷インキと可視広域で同色の印刷インキ（紫外線硬化型オフセットインキ）を用い、前記コードマークと毛抜き合わせ形状の背景画像を膜厚２μｍに印刷した。さらに、第２の赤外線吸収性印刷インキと可視広域で同色のインキ（紫外線硬化型オフセットインキ）を用い、前記コードマークと毛抜き合わせ形状の背景画像を膜厚２μｍに印刷し、続いて隠蔽層として白インキ（紫外線硬化型オフセットインキ）を膜厚３μｍに印刷し、その上に下記プロセスインキ（紫外線硬化型オフセットインキ）を用いて絵柄を印刷して、機械読み取り可能な情報印刷物を作製した。
［第１の赤外線吸収性印刷インキ］
赤外線吸収剤  ＣＩＲ−１０８１（日本カーリット社製）          １０部
ＦＤＳメジウムＴＰ          （東洋インキ製造社製）          ９０部
［第１の赤外線吸収インキと可視光域で同色のインキ］
ＦＤ  ＯＬ  黄  ＴＣ      （東洋インキ製造社製）          ３．００部
ＦＤ  ＯＬ  紅  ＴＣ      （東洋インキ製造社製）          １．７５部
ＦＤ  ＯＬ  藍  ＴＣ      （東洋インキ製造社製）          ０．２５部
ＦＤ  ＯＬ  メジウム      （東洋インキ製造社製）              ９５部
［第２の赤外線吸収性印刷インキ］
赤外線吸収剤  ＩＲ−１４    （日本触媒社製）                    ５部
ＦＤＳメジウムＴＰロ          （東洋インキ製造社製）          ９５部
［第２の赤外線吸収性印刷インキと可視光域で同色の印刷インキ］
ＦＤ  ＯＬ  黄  ＴＣ      （東洋インキ製造社製）          ３．００部
ＦＤ  ＯＬ  紅  ＴＣ      （東洋インキ製造社製）          １．５０部
ＦＤ  ＯＬ  藍  ＴＣ      （東洋インキ製造社製）          ０．５０部
ＦＤ  ＯＬ  メジウム      （東洋インキ製造社製）              ９５部
上記機械読み取り可能な情報印刷物は、目視では絵柄のみが確認されるが、７８０ｎｍ付近の光を照射して赤外線カメラで画像を見ると第１の赤外線吸収性印刷インキおよび第２の赤外線吸収性印刷インキで印刷されたパターンを読むことが出来、さらに９５０ｎｍ付近の光を照射して赤外線カメラが画像を見ると第１の赤外線吸収性印刷インキで印刷されたパターンのみを読むことが出来、１種類の赤外光のみを照射する赤外カメラでは得られなかった情報を得ることができた。
【図面の簡単な説明】
【００３０】
【図１】本発明の機械読み取り可能な情報印刷物の一実施の形態を示すもので、（ａ）は、印刷画像の一事例を表す正面図であり、（ｂ）は、背景画像の一事例を表す正面図である。
【図２】本発明の機械読み取り可能な情報印刷物の一事例を示す正面図である。
【図３】図２の機械読み取り可能な情報印刷物のＸ−Ｘ線における断面図である。
【図４】図２に示す機械読み取り可能な情報印刷物の一応用例を示す正面図である。
【図５】図４に示す機械読み取り可能な情報印刷物のＸ−Ｘ線における断面図である。
【図６】図４に示す機械読み取り可能な情報印刷物を赤外線カメラで観察した場合の正面図である。
【図７】本発明の機械読み取り可能な情報印刷物の他の一事例を示す正面図である。
【図８】図７の機械読み取り可能な情報印刷物のＸ−Ｘ線における断面図である。
【図９】図７に示す機械読み取り可能な情報印刷物の一応用例を示す正面図である。
【図１０】図９の機械読み取り可能な情報印刷物のＸ−Ｘ線における断面図である。
【図１１】図９に示す機械読み取り可能な情報印刷物を赤外線カメラで観察した正面図であり、（ａ）は、二つの赤外線吸収性印刷インキの波長域でのもので、（ｂ）は、一方の赤外線吸収性印刷インキの波長域でのものである。
【図１２】第１の赤外線吸収性インキを用いた第１の印刷画像と第２の赤外線吸収性インキを用いた第２の印刷画像の反射率と波長の関係を示すグラフである。
【符号の説明】
【００３１】
１，２，３，４‥‥機械読み取り可能な情報印刷物
１１，２１    ‥‥赤外線吸収性印刷インキ
１２          ‥‥赤外線吸収性印刷インキと同色の印刷インキ
１５，３５    ‥‥赤外線反射性基材
１６，３６    ‥‥隠蔽層
１７，３７    ‥‥絵柄層
２２          ‥‥赤外線カメラで見たときの赤外線吸収性印刷インキと同色の印刷イ
ンキ
３１          ‥‥第１の赤外線吸収性印刷インキ
３２          ‥‥第１の赤外線吸収性印刷インキと同色の印刷インキ
３３          ‥‥第２の赤外線吸収性印刷インキ
３４          ‥‥第２の赤外線吸収性印刷インキと同色の印刷インキ
５１          ‥‥第１の赤外線吸収性印刷インキの分光波形
５２          ‥‥第２の赤外線吸収性印刷インキの分光波形
【図１】
2007030448.tif 000003
【図２】
2007030448.tif 000004
【図３】
2007030448.tif 000005
【図４】
2007030448.tif 000006
【図５】
2007030448.tif 000007
【図６】
2007030448.tif 000008
【図７】
2007030448.tif 000009
【図８】
2007030448.tif 000010
【図９】
2007030448.tif 000011
【図１０】
2007030448.tif 000012
【図１１】
2007030448.tif 000013
【図１２】
2007030448.tif 000014